(57)【要約】【課題】複数のアンテナを有する移動局装置の送信電力を適切に制御できる送信電力制御方法、基地局装置および移動局装置を提供すること。【解決手段】移動局装置１００に対してアンテナ１０２ａ、１０２ｂに共通した送信電力制御を行う共通TPCコマンドを送信する共通制御モードと、移動局装置１００に対してアンテナ１０２ａ、１０２ｂに個別の送信電力制御を行う個別TPCコマンドを送信する個別制御モードとのいずれかを有効とする。【選択図】図１
2010103965.tif 000002
【特許請求の範囲】
【請求項１】
上りリンクの送信電力を制御する送信電力制御方法であって、
複数のアンテナを有する移動局装置に対してアンテナ共通の送信電力制御信号にて前記複数のアンテナの送信電力を制御する共通制御モードと、前記移動局装置に対してアンテナ個別の送信電力制御信号にて前記複数のアンテナの送信電力を制御する個別制御モードとのいずれかを有効とすることを特徴とする送信電力制御方法。
【請求項２】
前記共通制御モードにおいては、前記移動局装置の複数のアンテナのそれぞれの受信品質の平均値と目標受信品質との差分に基づいて前記アンテナ共通の送信電力制御信号を生成することを特徴とする請求項１に記載の送信電力制御方法。
【請求項３】
前記個別制御モードにおいては、前記移動局装置の複数のアンテナのそれぞれの受信品質と目標受信品質との差分に基づいて前記アンテナ毎の前記アンテナ個別の送信電力制御信号を生成することを特徴とする請求項１または請求項２に記載の送信電力制御方法。
【請求項４】
前記移動局装置の移動速度に基づいて、前記共通制御モードおよび前記個別制御モードのいずれかを有効とすることを特徴とする請求項１から請求項３のいずれかに記載の送信電力制御方法。
【請求項５】
前記移動局装置の複数のアンテナ間の受信レベル差に基づいて、前記共通制御モードおよび前記個別制御モードのいずれかを有効とすることを特徴とする請求項１から請求項３のいずれかに記載の送信電力制御方法。
【請求項６】
前記移動局装置の複数のアンテナ間の送信電力設定誤差よって生じた受信レベル差に基づいて、前記共通制御モードおよび前記個別制御モードのいずれかを有効とすることを特徴とする請求項５に記載の送信電力制御方法。
【請求項７】
前記移動局装置の前記複数のアンテナ間の受信レベル差に基づいて受信レベル差信号を生成し、前記移動局装置に対して前記受信レベル差信号を送信することを特徴とする請求項５または請求項６に記載の送信電力制御方法。
【請求項８】
前記受信レベル差信号を、前記複数のアンテナのうち、基準となるアンテナのアンテナ番号と、前記基準となるアンテナの受信レベルに対する残りのアンテナの受信レベルの差分を含めて生成することを特徴とする請求項７に記載の送信電力制御方法。
【請求項９】
前記移動局装置の複数のアンテナ間の受信レベル差と所定の閾値とを比較して前記移動局装置に対して前記受信レベル差信号を送信するか否かを判定することを特徴とする請求項７または請求項８に記載の送信電力制御方法。
【請求項１０】
前記移動局装置の複数のアンテナ間の受信レベル差と前記所定の閾値とを比較して前記共通制御モードおよび前記個別制御モードのいずれを有効とするかを判定すると共に、前記移動局装置に対して前記受信レベル差信号を送信するか否かを判定することを特徴とする請求項９に記載の送信電力制御方法。
【請求項１１】
前記共通制御モードが有効とされた場合に、前記移動局装置に対して前記受信レベル差信号を送信することを特徴とする請求項７から請求項１０のいずれかに記載の送信電力制御方法。
【請求項１２】
前記個別制御モードにおいては、前記複数のアンテナのそれぞれに対する複数のアンテナ個別の送信電力制御信号を順に送信することを特徴とする請求項１から請求項１１のいずれかに記載の送信電力制御方法。
【請求項１３】
前記個別制御モードにおいては、前記複数のアンテナのそれぞれに対する複数のアンテナ個別の送信電力制御信号をまとめて送信することを特徴とする請求項１から請求項１１のいずれかに記載の送信電力制御方法。
【請求項１４】
前記個別制御モードにおいては、基準となる１つのアンテナに対するアンテナ個別の送信電力制御信号と、前記基準となる１つのアンテナに対するアンテナ個別の送信電力制御信号および他の１つのアンテナに対するアンテナ個別の送信電力制御信号の相対値とを順に送信することを特徴とする請求項１から請求項１１のいずれかに記載の送信電力制御方法。
【請求項１５】
前記個別制御モードにおいては、基準となる１つのアンテナに対するアンテナ個別の送信電力制御信号と、前記基準となる１つのアンテナに対するアンテナ個別の送信電力制御信号および他の１つのアンテナに対するアンテナ個別の送信電力制御信号の相対値とをまとめて送信することを特徴とする請求項１から請求項１１のいずれかに記載の送信電力制御方法。
【請求項１６】
上りリンクの送信電力を制御する基地局装置であって、
複数のアンテナを有する移動局装置に対してアンテナ共通の送信電力制御信号にて前記複数のアンテナの送信電力を制御する共通制御モードと、前記移動局装置に対してアンテナ個別の送信電力制御信号にて前記複数のアンテナの送信電力を制御する個別制御モードとに切換可能に構成されたことを特徴とする基地局装置。
【請求項１７】
前記移動局装置の前記複数のアンテナ間の受信レベル差に基づいて受信レベル差信号を生成し、前記移動局装置に対して前記受信レベル差信号を送信可能に構成されたことを特徴とする請求項１６に記載の基地局装置。
【請求項１８】
複数のアンテナを有し、基地局装置に上りリンクの送信電力が制御される移動局装置であって、
前記基地局装置から送信された送信電力制御信号に対して、前記複数のアンテナに共通の送信電力制御信号を適用する共通制御モード、および前記複数のアンテナに個別の送信電力制御信号を適用する個別制御モードのいずれかを設定することを特徴とする移動局装置。
【請求項１９】
複数のアンテナを有する移動局装置の前記複数のアンテナ間の受信レベル差に基づいて受信レベル差信号を生成し、前記移動局装置に対して前記受信レベル差信号を送信することを特徴とする送信電力制御方法。
【請求項２０】
前記受信レベル差信号を、前記複数のアンテナのうち、基準となるアンテナのアンテナ番号と、前記基準となるアンテナの受信レベルに対する残りのアンテナの受信レベルの差分を含めて生成することを特徴とする請求項１９に記載の送信電力制御方法。
【請求項２１】
前記移動局装置の複数のアンテナ間の受信レベル差に基づいて、前記移動局装置に対してアンテナ共通の送信電力制御信号にて前記複数のアンテナの送信電力を制御する共通制御モードと、前記移動局装置に対してアンテナ個別の送信電力制御信号にて前記複数のアンテナの送信電力を制御する個別制御モードとのいずれかを有効とすることを特徴とする請求項１９または請求項２０に記載の送信電力制御方法。
【請求項２２】
前記移動局装置の複数のアンテナ間の受信レベル差と所定の閾値とを比較して前記移動局装置に対して前記受信レベル差信号を送信するか否かを判定することを特徴とする請求項１９から請求項２１のいずれかに記載の送信電力制御方法。
【請求項２３】
前記移動局装置の複数のアンテナ間の受信レベル差と前記所定の閾値とを比較して前記共通制御モードおよび前記個別制御モードのいずれを有効とするかを判定すると共に、前記移動局装置に対して前記受信レベル差信号を送信するか否かを判定することを特徴とする請求項２１に記載の送信電力制御方法。
【請求項２４】
前記共通制御モードが有効とされた場合に、前記移動局装置に対して前記受信レベル差信号を送信することを特徴とする請求項２１に記載の送信電力制御方法。
【請求項２５】
前記移動局装置の前記複数のアンテナ間の受信レベル差に基づいて受信レベル差信号を生成し、前記移動局装置に対して前記受信レベル差信号を送信可能に構成されたことを特徴とする基地局装置。
【発明の詳細な説明】
【技術分野】
【０００１】
本発明は、上りリンクの送信電力を制御する送信電力制御方法、基地局装置および移動局装置に関する。
【背景技術】
【０００２】
W-CDMAの上りリンクでは、同一セル内のユーザ装置（UE:  User  equipment)は、ユーザ固有のスクランブル符号が乗算されており、非直交受信となるため、マルチユーザ干渉（すなわち、遠近問題）の影響を低減するための高速送信電力制御（TPC:  Transmission  Power  Control)が必須となっている。
【０００３】
一方、3GPP  Release  8で規定されるLTE(Long  Term  Evolution)のシステムでは（以下、「Rel-8  LTE」と略称する）、上りリンクに低いピーク対平均電力比(PAPR:  Peak-to  Average  Power  Ratio)を実現し、カバレッジの増大に有効であるSC-FDMA  (Single-Carrier  Frequency  Division  Multiple  Access)無線アクセスが採用されている。よって、基地局装置によるスケジューリングにより、基本的には、ある周波数および時間を有する無線リソースをひとつのUEに割り当てるため、同一セル内のユーザ間は周波数および時間領域で直交を実現している。このため、同一セル内のマルチユーザ干渉を抑圧する観点からは、高速なTPCは必ずしも必須ではない。しかしながら、Rel-8  LTEでは１セル周波数繰り返しをベースとするため、周辺セルからの干渉が大きく、特にセル端に存在するUEからの干渉レベルは高い。このため、このような周辺セル干渉を補償し一定の受信品質を維持するため、LTEにおいてもTPCを適用する必要がある。
【０００４】
Rel-8  LTEの上りリンクでは、１）物理ランダムアクセスチャネル(PRACH:  Physical  Random  Access  Channel)、２）上りリンク物理共有チャネル(PUSCH:  Physical  Uplink  Shared  Channel)、３）上りリンク物理制御チャネル(PUCCH:  Physical  Uplink  Control  Channel)が規定されている。特に、PUSCHは、ユーザデータを送信する物理チャネルであり、UEの受信チャネル状態に応じた適応変復調・チャネル符号化(AMC:  Adaptive  Modulation  and  channel  Coding)、複数ユーザの受信チャネル状態に応じて受信信号レベルの高い周波数ブロックを個々のユーザに対して最適に割当てる周波数スケジューリングを適用する。瞬時のフェージング変動に対応するため、１msec長のTTI(Transmission  Time  Interval)毎に高速周波数スケジューリング及び高速AMCを実行する。この場合、瞬時のフェージング変動に対してはAMCによる適応レート制御で対応できるが、基地局装置からの伝搬ロス及び周辺セル干渉の変動には低速のTPCで対応する。上りリンクのPUSCHの送信電力制御は、基地局装置が比較的長周期で通知するパラメータ（Po、α等）及び移動局装置が測定する伝搬ロス値による開ループTPCと、シャドウイングによる受信レベルの中期的変動及びUEの送信電力の設定誤差を補償するために比較的短周期で通知されるTPCコマンドによる閉ループTPCとの組み合わせにより制御される(3GPP,TS36.213)。基地局装置と移動局装置との間で行われる閉ループTPCでは、例えば、基地局装置において平均化時間ｔで平均化した受信SINR(Signal  to  Interference  plus  Noise  Ratio)と目標受信SINRとの差分を計算し、この差分をTPCコマンドとして移動局装置に通知することにより、移動局装置の送信電力を制御している。
【先行技術文献】
【非特許文献】
【０００５】
【非特許文献１】3GPP,  TS  36.213,  V8.2.0,  “Evolved  Universal  Terrestrial  Radio  Access  (E-UTRA);  Physical  layer  procedures”
【発明の概要】
【発明が解決しようとする課題】
【０００６】
しかしながら、LTE-Advancedでは複数のアンテナによる上りリンクの伝送が想定されるが、従来のTPCコマンドは1UEあたり1つである。したがって、低速なTPCを行う場合は、アンテナ間に送信電力差をつける必要がないため、同一のTPCコマンドによる全てのアンテナの送信電力制御が可能であるが、瞬時のフェージング変動に追従させる高速なTPCを行う場合は、全てのアンテナに対して同一のTPCコマンドでは、所要の受信品質を満たす送信電力制御ができないという問題があった。さらに、複数のアンテナによる上りリンクの伝送においては、アンテナ毎の基地局装置での受信レベル差を補償したいという要求がある。
【０００７】
本発明は、かかる点に鑑みてなされたものであり、複数のアンテナを有する移動局装置の送信電力を適切に制御できる送信電力制御方法、基地局装置および移動局装置を提供することを目的とする。
【課題を解決するための手段】
【０００８】
本発明の送信電力制御方法は、上りリンクの送信電力を制御する送信電力制御方法であって、複数のアンテナを有する移動局装置に対してアンテナ共通の送信電力制御信号にて前記複数のアンテナの送信電力を制御する共通制御モードと、前記移動局装置に対してアンテナ個別の送信電力制御信号にて前記複数のアンテナの送信電力を制御する個別制御モードとのいずれかを有効とすることを特徴とする。
【０００９】
この構成によれば、瞬時のフェージングに追従させる必要がない場合には、共通制御モードとして移動局装置に対してアンテナ共通の送信電力制御信号を送信して複数のアンテナの送信電力を制御し、瞬時のフェージングに追従させる必要がある場合には、個別制御モードとして移動局装置に対してアンテナ個別の送信電力制御信号を送信してアンテナ毎に送信電力を制御できる。このように、通信環境に応じた制御モードを有効にすることにより、複数のアンテナを有する移動局装置を適切な送信電力に制御できる。
【００１０】
また本発明は、上記送信電力制御方法において、前記移動局装置の前記複数のアンテナ間の受信レベル差に基づいて受信レベル差信号を生成し、前記移動局装置に対して前記受信レベル差信号を送信することを特徴とする。
【００１１】
この構成によれば、移動局装置に対して受信レベル差信号を送信して、複数のアンテナ間の受信レベル差を移動局装置において特定できる。したがって、移動局装置において複数のアンテナ間の受信レベル差を補償するための各種処理を設定できる。
【発明の効果】
【００１２】
本発明によれば、複数のアンテナを有する移動局装置の送信電力を適切に制御できる。
【図面の簡単な説明】
【００１３】
【図１】本発明に係る送信電力制御方法の実施の形態を示す図であり、基地局装置による移動局装置に対する送信電力制御の概要の説明図である。
【図２】本発明に係る送信電力制御方法の実施の形態を示す図であり、第１のデータ構成を示す図である。
【図３】本発明に係る送信電力制御方法の実施の形態を示す図であり、第２のデータ構成を示す図である。
【図４】本発明に係る送信電力制御方法の実施の形態を示す図であり、第２のデータ構成の変形例を示す図である。
【図５】本発明に係る送信電力制御方法の実施の形態を示す図であり、第３のデータ構成を示す図である。
【図６】本発明に係る送信電力制御方法の実施の形態を示す図であり、第４のデータ構成を示す図である。
【図７】本発明に係る送信電力制御方法の実施の形態を示す図であり、基地局装置の機能ブロック図である。
【図８】本発明に係る送信電力制御方法の実施の形態を示す図であり、共通制御モードが有効な場合のベースバンド信号処理部の機能ブロック図である。
【図９】本発明に係る送信電力制御方法の実施の形態を示す図であり、個別制御モードが有効な場合のベースバンド信号処理部の機能ブロック図である。
【図１０】本発明に係る送信電力制御方法の実施の形態を示す図であり、移動局装置の機能ブロック図である。
【図１１】本発明に係る送信電力制御方法の実施の形態を示す図であり、移動局装置のベースバンド信号処理部の機能ブロック図である。
【図１２】本発明に係る送信電力制御方法の実施の形態を示す図であり、基地局装置による送信電力制御処理のフローチャートである。
【図１３】本発明に係る送信電力制御方法の実施の形態を示す図であり、移動局装置による送信電力制御処理のフローチャートである。
【図１４】本発明に係る送信電力制御方法の実施の形態を示す図であり、TPCモード情報の一例を示す図である。
【図１５】本発明に係る送信電力制御方法の他の実施の形態を示す図であり、共通制御モードが有効な場合のベースバンド信号処理部の機能ブロック図である。
【図１６】本発明に係る送信電力制御方法の他の実施の形態を示す図であり、個別制御モードが有効な場合のベースバンド信号処理部の機能ブロック図である。
【図１７】本発明に係る送信電力制御方法の他の実施の形態を示す図であり、移動局装置のベースバンド信号処理部の機能ブロック図である。
【図１８】本発明に係る送信電力制御方法の他の実施の形態を示す図であり、受信レベル差信号の通知処理のフローチャートである。
【発明を実施するための形態】
【００１４】
以下、本発明の実施の形態について添付図面を参照して詳細に説明する。なお、本実施の形態においては、本発明をLTE-Advancedに適用した例について説明するが、本発明はLTE-Advancedに適用した場合に限定されるものではない。
図１は、本発明の実施の形態における基地局装置による移動局装置に対する送信電力制御の概要の説明図である。
【００１５】
図１に示すように、移動局装置１００は、２つのアンテナ１０２ａ、１０２ｂを有しており、２つのアンテナ１０２ａ、１０２ｂを介して基地局装置２００との間で下りリンクの信号を受信し、上りリンクの信号を送信している。基地局装置２００においては、移動局装置１００から受信した上りリンクのサウンディング用の参照信号（SRS:  Sounding  Reference  Signal）等を用いて、移動局装置１００のアンテナ１０２ａ、１０２ｂ毎に受信SINR（Signal  to  Interference  plus  Noise  Ratio）が測定され、この受信SINRと予め設定された目標受信SINRとの差分からTPCコマンドが生成される。生成されたTPCコマンドは、PDCCH（Physical  Downlink  Control  Channel）により移動局装置１００に通知され、移動局装置１００の送信電力が制御される。
【００１６】
また、基地局装置２００は、移動局装置１００の各アンテナ１０２ａ、１０２ｂに共通したTPCコマンドを送信する共通制御モードと移動局装置１００の各アンテナ１０２ａ、１０２ｂに個別のTPCコマンドを送信する個別制御モードとを有している。共通制御モードにおいては、２つのアンテナ１０２ａ、１０２ｂに対応する受信SINRの平均値と目標受信SINRとの差分から共通TPCコマンドが生成され、この共通TPCコマンドが移動局装置１００に通知され、移動局装置１００の全てのアンテナ１０２ａ、１０２ｂが共通の送信電力に設定される。一方、個別制御モードにおいては、２つのアンテナ１０２ａ、１０２ｂに対応する受信SINRのそれぞれと目標受信SINRとの差分からアンテナ１０２ａ、１０２ｂ毎に個別TPCコマンドが生成され、この個別TPCコマンドが移動局装置１００に通知され、移動局装置１００の２つのアンテナ１０２ａ、１０２ｂが個別の送信電力に設定される。
【００１７】
また、基地局装置２００は、移動局装置１００の移動速度を監視し、移動局装置１００の移動速度に応じて共通制御モードと個別制御モードとを切り換えるようにしてもよい。例えば、移動局装置１００の移動速度が遅い場合等の瞬時のフェージングに追従させる必要がないときに共通制御モードを有効にし、移動局装置１００の移動速度が速い場合等の瞬時のフェージングに追従させる必要があるときに個別制御モードを有効にする。この場合、基地局装置２００は、速度の判定基準となる基準速度を記憶しており、この基準速度よりも遅い場合に共通制御モードを有効にし、この基準速度よりも早い場合に個別制御モードを有効にする。
【００１８】
また、所定の速度範囲のみ個別制御モードに切り換えるようにしてもよい。この場合、基地局装置２００は、速度範囲の判定基準となる上限および下限の基準速度を記憶しており、移動局装置１００の移動速度が上限および下限の基準速度範囲内の場合に個別制御モードを有効にする。なお、上限および下限の基準速度は適宜設定可能であり、特に、上限の基準速度は、TPCコマンドが追従できない程の制御遅延が生じた場合に、制御遅延を考慮して適宜設定できる。これにより、移動局装置１００の移動速度が速すぎて、TPCコマンドが追従できない場合に、個別制御モードへの切り換えによるリソースの無駄を防止できる。
【００１９】
あるいは、基地局装置２００は、移動局装置１００の２つのアンテナ１０２ａ、１０２ｂ毎の送信電力設定誤差等に起因する受信レベル差、すなわち基地局装置２００におけるアンテナ１０２ａ、１０２ｂ間の平均受信電力差を監視し、平均受信電力差に応じて共通制御モードと個別制御モードとを切り換えるようにしてもよい。例えば、アンテナ１０２ａ、１０２ｂ間の平均受信電力差が大きい場合は、電力差を考慮して個別制御モードを有効にする。この場合、基地局装置２００は、電力差の判定基準となる基準電力差を記憶しており、この基準電力差よりも小さい場合に共通制御モードを有効にし、この基準電力差よりも大きい場合に個別制御モードを有効にする。
【００２０】
ここで、図２から図６を参照して、PDCCHにより基地局装置から移動局装置に通知される個別TPCコマンドが付加されたデータ構成について説明する。なお、図２から図６において、図示左側には従来例としてのLTEのデータ構成を示し、図示右側には本発明を適用したLTE-Advancedのデータ構成を示している。また、共通TPCコマンドが付加されたデータ構成については、従来と同様なデータ構成のため説明を省略する。以下、本実施の形態においては、第１から第４の４つのデータ構成について説明するが、これらは例示であり、データ構成がこの４つの構成に限定されるものではない。また、本実施の形態においては、第１から第４のデータ構成のうち、いずれか１つのデータ構成を使用してもよいし、通信環境に応じて複数組み合わせて使用してもよい。
【００２１】
図２は、１つの送信データに１つのアンテナに対応する個別TPCコマンドを付加した第１のデータ構成を示している。図２の図示右側に示すように、一方の送信データにアンテナ１０２ａ側の個別TPCコマンドが付加され、他方の送信データにアンテナ１０２ｂ側の個別TPCコマンドが付加されている。このとき、第１のデータ構成における個別TPCコマンドのbit数は、図示左側に示す従来例のTPCコマンドと同じ２bitsであるため、第１のデータ構成における送信データの総bit数は、従来例の送信データの総bit数と同じである。よって、シグナリング量を抑えた状態で送信電力を制御することが可能となる。
【００２２】
ただし、１つの送信データに１つの個別TPCコマンドが付加されるため、移動局装置１００のアンテナ１０２ａ、１０２ｂの数だけ送信回数が増加し、送信間隔は従来例のTPCコマンドの送信間隔の２倍となる。このように、第１のデータ構成は、各送信データの総bit数が従来例の送信データの総bit数と同じであり、送信間隔が従来例よりも大きくなるため、送信間隔よりもシグナリング量を優先して送信電力を制御する場合に有効である。
【００２３】
図３は、１つの送信データに２つのアンテナに対応する個別TPCコマンドを付加した第２のデータ構成を示している。図３の図示右側に示すように、一つの送信データにアンテナ１０２ａ側の個別TPCコマンドおよびアンテナ１０２ｂ側の個別TPCコマンドが付加されている。このとき、第２のデータ構成におけるアンテナ１０２ａ側の個別TPCコマンドおよびアンテナ１０２ｂ側の個別TPCコマンドのbit数は、それぞれ図示左側に示す従来例のTPCコマンドと同じ２bitsであるため、第２のデータ構成における送信データの総bit数は、従来例の送信データの総bit数よりも２bitsだけ大きくなる。
【００２４】
また、１つの送信データに２つのアンテナ１０２ａ、１０２ｂの個別TPCコマンドが付加され、一度に複数の個別TPCコマンドが送信可能なため、送信間隔は従来のTPCコマンドの送信間隔と同一である。このように、第２のデータ構成は、送信データの総bit数が従来の送信データの総bit数よりも大きくなり、送信間隔が従来例と同一であるため、シグナリング量よりも送信間隔を優先して送信電力を制御する場合に有効である。この場合、図４に示すように、他信号の領域を減らす、若しくは空き領域を利用することにより、本実施の形態の送信データの総bit数を従来例の送信データの総bit数と同じにすることも可能である。
【００２５】
図５は、先発の送信データに１つのアンテナに対する基準の個別TPCコマンドを付加し、後発の送信データに基準の個別TPCコマンドおよび他の１つのアンテナに対する個別TPCコマンドの相対値を付加した第３のデータ構成を示している。図５の図示右側に示すように、先発の送信データに基準となるアンテナ１０２ａ側の個別TPCコマンドが付加され、後発の送信データに基準となるアンテナ１０２ａ側の個別TPCコマンドとアンテナ１０２ｂ側の個別TPCコマンドの相対値が付加されている。
【００２６】
このとき、第３のデータ構成における先発の送信データに付加された基準となるアンテナ１０２ａ側の個別TPCコマンドのbit数は、図示左側に示す従来のTPCコマンドと同じ２bitsであるため、第３のデータ構成における先発の送信データの総bit数は従来の送信データの総bit数と同じである。一方、第３のデータ構成における後発の送信データに付加された相対値は従来のTPCコマンドよりも１bit少ないため、第３のデータ構成における後発の送信データの総bit数は従来の送信データの総bit数よりも１bitだけ小さくなる。よって、後発の送信データにおいてシグナリング量を抑えた状態で送信電力を制御することが可能となる。
【００２７】
ただし、先発の送信データにアンテナ１０２ａに対する個別TPCコマンドが付加され、後発の送信データにアンテナ１０２ｂの送信電力を制御するための相対値が付加されるため、移動局装置１００のアンテナ１０２ａ、１０２ｂの数だけ送信回数が増加し、送信間隔は、従来例のTPCコマンドの送信間隔の２倍となる。このように、第３のデータ構成は、後発の送信データにアンテナ１０２ｂ側の個別TPCコマンドの代わりに相対値を付加することにより、第１のデータ構成よりもさらにシグナリング量を抑えた状態で送信電力を制御する場合に有効である。
【００２８】
図６は、１つの送信データに１つのアンテナに対する基準の個別TPCコマンドと基準の個別TPCコマンドおよび他の１つのアンテナに対する個別TPCコマンドの相対値とを付加した第４のデータ構成を示している。図６の図示右側に示すように、一つの送信データに基準となるアンテナ１０２ａ側の個別TPCコマンドと基準となるアンテナ１０２ａ側の個別TPCコマンドおよびアンテナ１０２ｂ側の個別TPCコマンドの相対値とが付加されている。このとき、第４のデータ構成における基準となるアンテナ１０２ａ側の個別TPCコマンドは２bitsであり、相対値は１bitであるため、第４のデータ構成における送信データの総bit数は従来の送信データの総bit数よりも１bitだけ大きくなる。
【００２９】
また、１つの送信データにアンテナ１０２ａに対する個別TPCコマンドとアンテナ１０２ｂの送信電力を制御するための相対値とが付加され、一度に個別TPCコマンドおよび相対値が送信可能なため、送信間隔は従来例のTPCコマンドの送信間隔と同一である。このように、第４のデータ構成は、送信データにアンテナ１０２ｂ側の個別TPCコマンドの代わりに相対値を付加することにより、第２のデータ構成よりもシグナリング量を抑えた状態で送信電力を制御する場合に有効である。
【００３０】
次に、図７を参照して、基地局装置の機能構成について説明する。図７は、本発明の実施の形態に係る基地局装置の機能ブロック図である。
【００３１】
図７に示すように、基地局装置２００は、複数のアンテナ２０２（１つのみ図示）と、アンプ部２０４と、送受信部２０６と、ベースバンド信号処理部２０８と、呼処理部２１０と、伝送路インターフェース２１２とを備えて構成されている。
【００３２】
上りリンクのデータについては、アンテナ２０２で受信された無線周波数信号がアンプ部２０４において、AGCの下で受信電力が一定電力に補正されるように増幅される。増幅された無線周波数信号は、送受信部２０６においてベースバンド信号へ周波数変換される。このベースバンド信号は、ベースバンド信号処理部２０８で逆拡散、RAKE合成、誤り訂正複合がなされた後、伝送路インターフェース２１２を介して図示しないアクセスゲートウェイ装置に転送される。アクセスゲートウェイ装置は、コアネットワークに接続されており、各移動局を管理している。また、上りリンクに関しては、上りリンクのベースバンド信号に基づき、基地局装置２００で受信された無線信号の受信SINRおよび干渉レベルが測定される。
【００３３】
下りリンクのデータについては、上位装置から伝送路インターフェース２１２を介してベースバンド信号処理部２０８に入力される。ベースバンド信号処理部２０８では、再送制御（H-ARQ（Hybrid  ARQ））の処理、スケジューリング、伝送フォーマット選択、チャネル符号化、拡散処理がされて送受信部２０６に転送される。送受信部２０６では、ベースバンド信号処理部２０８から出力されたベースバンド信号を無線周波数信号へ周波数変換され、その後、アンプ部２０４で増幅されてアンテナ２０２から送信される。
【００３４】
図８を参照して、共通制御モードが有効とされた場合のベースバンド処理部の機能構成について説明する。図８は、共通制御モードが有効な場合のベースバンド信号処理部の機能ブロック図である。
【００３５】
図８に示すように、ベースバンド信号処理部２０８は、レイヤ１処理部２０８１と、MAC（Medium  Access  Control）処理部２０８２と、RLC処理部２０８３と、受信SINR測定部２０８４と、送信電力制御部２０８５と、アンテナ共通TPCコマンド生成部２０８６とを有している。なお、アンテナ共通TPCコマンド生成部２０８６は、送信電力制御部２０８５に含まれる一機能部としてもよい。
【００３６】
レイヤ１処理部２０８１は、主に物理レイヤに関する処理をする。レイヤ１処理部２０８１では、例えば、上りリンクで受信した信号に対して、フーリエ変換（FFT）、周波数デマッピング、逆離散フーリエ変換（IDFT）、チャネル複号、データ復調等の処理がされる。また、下りリンクで送信する信号に対して、チャネル符号化、データ変調、周波数マッピング、逆フーリエ変換（IFFT）等の処理がされる。
【００３７】
MAC処理部２０８２は、上り／下りリンクで受信した信号に対するMACレイヤでの再送制御（HARQ）、上り／下りリンクに対するスケジューリング、PUSCH/PDSCHの伝送フォーマットの選択（AMCにおけるMCSセットの決定を含む）、PUSCH/PDSCHのリソースブロックの選択等の処理をする。
【００３８】
RLC処理部２０８３は、上りリンクで受信したパケット、および伝送路インターフェース２１２経由で受け取る下りリンクで送信するパケットに対して、パケットの分割、パケットの結合、RLCレイヤでの再送制御等をする。
【００３９】
受信SINR測定部２０８４は、上りリンクで受信した参照信号の受信品質（例えば、受信SINR）を測定する。一般に、参照信号には、システム帯域全域で定期的に送信されるサウンディング用のSounding  RSと、PUSCHに付随して特定のリソースブロックの帯域だけで伝送される復調用のDemodulation  RSとがある。受信SINR測定部２０８４は、移動局装置１００のアンテナ１０２ａ、１０２ｂ毎に参照信号を受信して、アンテナ１０２ａ、１０２ｂ毎の受信SINRを測定している。
【００４０】
アンテナ共通TPCコマンド生成部２０８６は、受信SINR測定部２０８４により測定された受信SINRに基づいて移動局装置１００のアンテナ１０２ａ、１０２ｂに共通な共通TPCコマンドを生成する。具体的には、アンテナ共通TPCコマンド生成部２０８６は、移動局装置１００のアンテナ１０２ａ、１０２ｂ毎の受信SINRの平均値を算出し、この受信SINRの平均値と予め記憶された目標受信SINRとの差分から共通TPCコマンドを生成する。
【００４１】
送信電力制御部２０８５は、TPCパラメータの設定等、上りリンク送信電力制御全般に関わる処理をする。また、送信電力制御部２０８５は、移動局装置１００のアンテナ１０２ａ、１０２ｂに対して共通のTPCコマンドで制御するか、移動局装置１００のアンテナ１０２ａ、１０２ｂに対して個別のTPCコマンドで制御するかを決定し、TPCモード情報をレイヤ１処理部２０８１に出力する。TPCモード情報は、移動局装置１００のTPCモードを設定する設定フラグを含んで構成されている。例えば、図１４に示す例では、共通制御モードでは設定フラグが「０」に設定され、個別制御モードでは設定フラグが「１」に設定される。このTPCモード情報は、上位レイヤから通知されPDSCHまたはPDCCHで移動局装置１００に送信される。
【００４２】
呼処理部２１０は、上位装置の無線制御局との間で呼処理制御信号を送受信し、基地局装置２００の状態管理やリソース割り当てをする。尚、上記レイヤ１処理部２０８１とMAC処理部２０８２における処理は、呼処理部２１０において設定されている、基地局装置２００と移動局装置１００の通信状態に基づいてなされる。
【００４３】
図９を参照して、個別制御モードが有効とされた場合のベースバンド処理部の機能構成について説明する。図９は、個別制御モードが有効な場合のベースバンド信号処理部の機能ブロック図である。なお、個別制御モードが有効な場合のベースバンド信号処理部の機能ブロック図は、共通制御モードが有効な場合のベースバンド信号処理部の機能ブロック図とアンテナ共通TPCコマンド生成部の代わりにアンテナ個別TPCコマンド生成部を有する点において相違している。したがって、相違点のみ説明する。
【００４４】
アンテナ個別TPCコマンド生成部２０８７は、受信SINR測定部２０８４により測定された受信SINRに基づいて移動局装置１００のアンテナ１０２ａ、１０２ｂ毎に個別TPCコマンドを生成する。具体的には、アンテナ個別TPCコマンド生成部２０８７は、移動局装置１００のアンテナ１０２ａ、１０２ｂ毎の受信SINRのそれぞれと予め記憶された目標受信SINRとの差分からアンテナ１０２ａ、１０２ｂ毎の個別TPCコマンドを生成する。
【００４５】
図１０を参照して、移動局装置の機能構成について説明する。図１０は、本発明の実施の形態に係る移動局装置の機能ブロック図である。
【００４６】
図１０に示すように、移動局装置１００は、２つのアンテナ１０２ａ、１０２ｂと、各アンテナ１０２ａ、１０２ｂに対応したアンプ部１０４ａ、１０４ｂと、送受信部１０６と、ベースバンド信号処理部１０８と、呼処理部１１０と、アプリケーション部１１２とを備えて構成されている。
【００４７】
上りリンクのデータについては、アプリケーション部１１２からベースバンド信号処理部１０８に入力される。ベースバンド信号処理部１０８では、再送制御（H-ARQ（Hybrid  ARQ））の処理、スケジューリング、伝送フォーマット選択、チャネル符号化、拡散処理がされて送受信部１０６に転送される。送受信部１０６では、ベースバンド信号処理部１０８から出力されたベースバンド信号を無線周波数信号へ周波数変換され、その後、アンプ部１０４ａ、１０４ｂで増幅されてアンテナ１０２ａ、１０２ｂから送信される。
【００４８】
下りリンクのデータについては、アンテナ１０２ａ、１０２ｂで受信された無線周波数信号がアンプ部１０４ａ、１０４ｂにおいて、AGCの下で受信電力が一定電力に補正されるように増幅される。増幅された無線周波数信号は、送受信部１０６においてベースバンド信号へ周波数変換される。このベースバンド信号は、ベースバンド信号処理部１０８で逆拡散、RAKE合成、誤り訂正複合がなされた後、アプリケーション部１１２に転送される。
【００４９】
図１１を参照して、移動局装置のベースバンド処理部の機能構成について説明する。図１１は、移動局装置のベースバンド信号処理部の機能ブロック図である。
【００５０】
ベースバンド信号処理部１０８は、レイヤ１処理部１０８１と、MAC処理部１０８２と、RLC処理部１０８３と、TPCモード設定部１０８４と、TPCコマンド受信処理部１０８５と、送信電力計算部１０８６とを有している。
【００５１】
レイヤ１処理部１０８１は、主に物理レイヤに関する処理をする。レイヤ１処理部１０８１では、例えば、下りリンクで受信した信号に対して、フーリエ変換（FFT）、周波数デマッピング、逆離散フーリエ変換（IDFT）、チャネル複号、データ復調等の処理がされる。また、上りリンクで送信する信号に対して、チャネル符号化、データ変調、周波数マッピング、逆フーリエ変換（IFFT）等の処理がされる。
【００５２】
MAC処理部１０８２は、下りリンクで受信した信号に対するMACレイヤでの再送制御（HARQ）、下りリンクに対するスケジューリング情報の解析（PDSCHの伝送フォーマットの特定、PDSCHのリソースブロックの特定）等をする。また、MAC処理部１０８２は、上りリンクで送信する信号に対するMAC再送制御、上りスケジューリング情報の解析（PUSCHの伝送フォーマットの特定、PUSCHのリソースブロックの特定等の処理）等をする。
【００５３】
RLC処理部１０８３は、上りリンクで受信したパケット、およびアプリケーション部１１２から受け取る下りリンクで送信するパケットに対して、パケットの分割、パケットの結合、RLCレイヤでの再送制御等をする。
【００５４】
TPCモード設定部１０８４は、下りリンクで受信したTPCモード情報に従って、アンテナ１０２ａ、１０２ｂに対して共通のTPCコマンドを適用する共通制御モードまたはアンテナ１０２ａ、１０２ｂに対して個別のTPCコマンドを適用する個別制御モードを設定する。
【００５５】
TPCコマンド受信処理部１０８５は、TPCモード設定部１０８４により設定されたTPCモードに従い、共通TPCコマンド/個別TPCコマンドを受信して、内容を特定する。
【００５６】
送信電力計算部１０８６は、TPCコマンドおよびTPCパラメータに従い、上りリンクの送信電力を計算する。共通制御モードの場合には、アンテナ１０２ａ、１０２ｂに対して共通のTPCコマンドを適用して送信電力を計算し、個別制御モードの場合には、アンテナ１０２ａ、１０２ｂに対して個別のTPCコマンドを適用して送信電力を計算する。そして、送信電力計算部１０８６による計算結果に応じて、ＡＧＣにより各アンテナ１０２ａ、１０２ｂに対応したアンプ部１０４ａ、１０４ｂにおける増幅率が調整され、送信電力が制御される。
【００５７】
なお、本実施の形態においては、TPCコマンド受信処理部１０８５でTPC信号を受信して、送信電力計算部１０８６で送信電力を計算し、アンプ部１０４ａ、１０４ｂを制御する構成としたが、アプリケーション部１１２でTPC信号を受信して送信電力を計算し、アンプ部１０４ａ、１０４ｂを制御するようにしてもよい。
【００５８】
図１２を参照して、基地局装置による送信電力制御処理について説明する。図１２は、基地局装置による送信電力制御処理のフローチャートである。なお、通信開始前に基地局装置には共通制御モードおよび個別制御モードのいずれかが有効とされている。
【００５９】
通信開始後は、移動局装置１００から送信された参照信号がPUSCHで受信され（ステップＳ０１）、受信SINR測定部２０８４で受信品質として移動局装置１００の各アンテナ１０２ａ、１０２ｂの受信SINRが測定される（ステップＳ０２）。測定された受信SINRは、制御モードに応じてアンテナ共通TPCコマンド生成部２０８６またはアンテナ個別TPCコマンド生成部２０８７に入力され、共通TPCコマンドまたは個別TPCコマンドが生成される（ステップＳ０３）。このとき、例えば、共通TPCコマンドは、移動局装置１００のアンテナ１０２ａ、１０２ｂ毎の受信SINRの平均値と予め記憶された目標受信SINRとの差分から生成され、個別TPCコマンドは、移動局装置１００のアンテナ１０２ａ、１０２ｂ毎の受信SINRのそれぞれと予め記憶された目標受信SINRとの差分から生成される。そして、生成されたTPCコマンドは、PDCCHで移動局装置１００に送信される（ステップＳ０４）。
【００６０】
図１３を参照して、移動局装置による送信電力制御処理について説明する。図１３は、移動局装置による送信電力制御処理のフローチャートである。
【００６１】
基地局装置２００から送信されたTPCコマンドがPDCCHで受信され（ステップＳ１１）、予め通知されているTPCモード情報に応じてTPCモード設定部１０８４によりTPCモードが設定される（ステップＳ１２）。TPCモードが設定されると、送信電力計算部１０８６によりTPCコマンドおよびTPCパラメータに基づいて上りリンクの送信電力を計算が計算され（ステップＳ１３）、この計算結果に応じてAGCにより各アンテナ１０２ａ、１０２ｂに対応したアンプ部１０４ａ、１０４ｂにおける増幅率が調整される（ステップＳ１４）。このようにして、移動局装置１００の送信電力が制御される。
【００６２】
以上のように、本実施の形態に係る送信電力制御方法によれば、移動局装置１００の２つのアンテナ１０２ａ、１０２ｂに共通した共通TPCコマンドにて送信電力を制御する共通制御モードと、移動局装置１００の２つのアンテナ１０２ａ、１０２ｂに個別の個別TPCコマンドにて送信電力を制御する個別制御モードとのいずれかを有効とする構成を有している。
【００６３】
したがって、瞬時のフェージングに追従させる必要がない場合には、共通制御モードとして移動局装置１００に対して共通TPCコマンドを送信して２つのアンテナ１０２ａ、１０２ｂに共通した共通TPCコマンドにて送信電力を制御し、瞬時のフェージングに追従させる必要がある場合には、個別制御モードとして移動局装置１００に対して個別TPCコマンドを送信してアンテナ１０２ａ、１０２ｂ毎に送信電力を制御できる。また、基地局装置２００におけるアンテナ１０２ａ、１０２ｂ間の平均受信電力差が小さい場合には、共通制御モードとして移動局装置１００に対して共通TPCコマンドを送信して２つのアンテナ１０２ａ、１０２ｂに共通の制御を行い、基地局装置２００におけるアンテナ１０２ａ、１０２ｂ間の平均受信電力差が大きい場合には、個別制御モードとして移動局装置１００に対して個別TPCコマンドを送信してアンテナ１０２ａ、１０２ｂ毎に送信電力を制御できる。このように、通信環境に応じた制御モードを有効にすることにより、複数のアンテナを有する移動局装置１００を適切な送信電力に制御することが可能となる。
【００６４】
次に、本発明の他の実施の形態について説明する。本発明の他の実施の形態に係る送信電力制御は、上述した実施の形態に係る送信電力制御と、基地局装置から移動局装置に対して平均受信レベル差を通知する点についてのみ相違する。なお、基地局装置および移動局装置の機能構成については略同一であるため、ベースバンド信号処理部の機能構成についてのみ説明する。また、上述した実施の形態に係る送信電力制御と同一名称の構成については同一の記号を付して説明する。
【００６５】
図１５を参照して、共通制御モードが有効とされた場合のベースバンド信号処理部の機能構成について説明する。図１５は、共通制御モードが有効な場合のベースバンド信号処理部の機能ブロック図である。
【００６６】
図１５に示すように、ベースバンド信号処理部２０８は、レイヤ１処理部２０８１と、MAC（Medium  Access  Control）処理部２０８２と、RLC処理部２０８３と、受信SINR測定部２０８４と、送信電力制御部２０８５と、アンテナ共通TPCコマンド生成部２０８６と、アンテナ間受信レベル差計算部２０８８とを有している。なお、アンテナ共通TPCコマンド生成部２０８６およびアンテナ間受信レベル差計算部２０８８は、送信電力制御部２０８５に含まれる一機能部としてもよい。
【００６７】
レイヤ１処理部２０８１は、主に物理レイヤに関する処理をする。レイヤ１処理部２０８１では、例えば、上りリンクで受信した信号に対して、フーリエ変換（FFT）、周波数デマッピング、逆離散フーリエ変換（IDFT）、チャネル複号、データ復調等の処理がされる。また、下りリンクで送信する信号に対して、チャネル符号化、データ変調、周波数マッピング、逆フーリエ変換（IFFT）等の処理がされる。
【００６８】
MAC処理部２０８２は、上り／下りリンクで受信した信号に対するMACレイヤでの再送制御（HARQ）、上り／下りリンクに対するスケジューリング、PUSCH/PDSCHの伝送フォーマットの選択（AMCにおけるMCSセットの決定を含む）、PUSCH/PDSCHのリソースブロックの選択等の処理をする。
【００６９】
RLC処理部２０８３は、上りリンクで受信したパケット、および伝送路インターフェース２１２経由で受け取る下りリンクで送信するパケットに対して、パケットの分割、パケットの結合、RLCレイヤでの再送制御等をする。
【００７０】
受信SINR測定部２０８４は、上りリンクで受信した参照信号の受信品質（例えば、受信SINR）を測定する。一般に、参照信号には、システム帯域全域で定期的に送信されるサウンディング用のSounding  RSと、PUSCHに付随して特定のリソースブロックの帯域だけで伝送される復調用のDemodulation  RSとがある。受信SINR測定部２０８４は、移動局装置１００のアンテナ１０２ａ、１０２ｂ毎に参照信号を受信して、アンテナ１０２ａ、１０２ｂ毎の受信SINRを測定している。
【００７１】
アンテナ共通TPCコマンド生成部２０８６は、受信SINR測定部２０８４により測定された受信SINRに基づいて移動局装置１００のアンテナ１０２ａ、１０２ｂに共通な共通TPCコマンドを生成する。具体的には、アンテナ共通TPCコマンド生成部２０８６は、移動局装置１００のアンテナ１０２ａ、１０２ｂ毎の受信SINRの平均値を算出し、この受信SINRの平均値と予め記憶された目標受信SINRとの差分から共通TPCコマンドを生成する。
【００７２】
アンテナ間受信レベル差計算部２０８８は、受信SINR測定部２０８４により測定された受信SINRに基づいて移動局装置１００のアンテナ１０２ａ、１０２ｂ間の平均受信レベル差を計算し、この平均受信レベル差に基づいて受信レベル差信号を生成する。この場合、アンテナ１０２ａ、アンテナ１０２ｂ間のうち、一方のアンテナを基準とした差分を平均受信レベル差として算出し、基準となるアンテナ番号と平均受信レベル差とを含めて受信レベル差信号を生成する。また、予め基準となるアンテナが既知である場合には、アンテナ１０２ａ、アンテナ１０２ｂの差分の絶対値を平均受信レベル差として算出し、平均レベル差を含めて受信レベル差信号を生成するようにしてもよい。
【００７３】
送信電力制御部２０８５は、TPCパラメータの設定や受信レベル差信号の通知等、上りリンク送信電力制御全般に関わる処理をする。送信電力制御部２０８５は、移動局装置１００のアンテナ１０２ａ、１０２ｂに対して共通のTPCコマンドで制御するか、移動局装置１００のアンテナ１０２ａ、１０２ｂに対して個別のTPCコマンドで制御するかを決定し、TPCモード情報をレイヤ１処理部２０８１に出力する。TPCモード情報は、上位レイヤから通知されPDSCHまたはPDCCHで送信される。
【００７４】
また、送信電力制御部２０８５は、アンテナ１０２ａ、アンテナ１０２ｂ間の平均受信レベル差に基づいて、移動局装置１００に受信レベル差信号を通知するか否かを決定する。例えば、送信電力制御部２０８５は、受信レベル差信号を通知するか否かの判定基準となる基準電力差を記憶しており、アンテナ１０２ａ、アンテナ１０２ｂ間の平均受信レベル差が基準電力差以上の場合に受信レベル差信号を通知する。この場合、受信レベル差信号は、秒単位以上の通知周期でもよいためPDSCHで送信するのが好ましいが、PDCCHで送信するようにしてもよい。なお、受信レベル差信号は、TPCコマンドに含めて送信するようにしてもよい。
【００７５】
なお、上述したように平均受信電力差に応じて共通制御モードと個別制御モードとを切り換える場合には、制御モード切り換え用の判定基準となる基準電力差を受信レベル差信号の通知判定用に使用してもよいし、制御モード切り換え用の判定基準となる基準電力差とは異なる基準電力差を受信レベル差信号の通知判定用に使用してもよい。制御モード切り換え用の判定基準となる基準電力差を受信レベル差信号の通知判定用に使用する場合には、制御モードを切り換えるか否か、および受信レベル差信号を通知するか否かを同時に判定でき、判定処理を簡素化できると共にオーバヘッドを小さくすることができる。
【００７６】
また、共通制御モードの場合にのみ、移動局装置１００に受信レベル差信号を通知するようにしてもよい。これにより、受信レベル差が大きい場合でも個別制御モードを適用せずに、ある程度受信レベル差を補償できるため、個別制御モードによるＴＰＣコマンドのオーバヘッドを低減できる。また、本実施の形態では、移動局装置１００に受信レベル差信号を通知するか否かを判定したが、移動局装置１００に受信レベル差信号を通知するか否かを判定せずに、受信レベル差信号を移動局装置１００に通知するようにしてもよい。
【００７７】
呼処理部２１０は、上位装置の無線制御局との間で呼処理制御信号を送受信し、基地局装置２００の状態管理やリソース割り当てをする。尚、上記レイヤ１処理部２０８１とMAC処理部２０８２における処理は、呼処理部２１０において設定されている、基地局装置２００と移動局装置１００の通信状態に基づいてなされる。
【００７８】
図１６を参照して、個別制御モードが有効とされた場合のベースバンド処理部の機能構成について説明する。図１６は、個別制御モードが有効な場合のベースバンド信号処理部の機能ブロック図である。なお、個別制御モードが有効な場合のベースバンド信号処理部の機能ブロック図は、共通制御モードが有効な場合のベースバンド信号処理部の機能ブロック図とアンテナ共通TPCコマンド生成部の代わりにアンテナ個別TPCコマンド生成部を有する点において相違している。したがって、相違点のみ説明する。
【００７９】
アンテナ個別TPCコマンド生成部２０８７は、受信SINR測定部２０８４により測定された受信SINRに基づいて移動局装置１００のアンテナ１０２ａ、１０２ｂ毎に個別TPCコマンドを生成する。具体的には、アンテナ個別TPCコマンド生成部２０８７は、移動局装置１００のアンテナ１０２ａ、１０２ｂ毎の受信SINRのそれぞれと予め記憶された目標受信SINRとの差分からアンテナ１０２ａ、１０２ｂ毎の個別TPCコマンドを生成する。
【００８０】
図１７を参照して、移動局装置のベースバンド信号処理部の機能構成について説明する。図１７は、移動局装置のベースバンド信号処理部の機能ブロック図である。
【００８１】
ベースバンド信号処理部１０８は、レイヤ１処理部１０８１と、MAC処理部１０８２と、RLC処理部１０８３と、TPCモード設定部１０８４と、TPCコマンド受信処理部１０８５と、送信電力計算部１０８６と、受信レベル差信号受信処理部１０８７を有している。
【００８２】
レイヤ１処理部１０８１は、主に物理レイヤに関する処理をする。レイヤ１処理部１０８１では、例えば、下りリンクで受信した信号に対して、フーリエ変換（FFT）、周波数デマッピング、逆離散フーリエ変換（IDFT）、チャネル複号、データ復調等の処理がされる。また、上りリンクで送信する信号に対して、チャネル符号化、データ変調、周波数マッピング、逆フーリエ変換（IFFT）等の処理がされる。
【００８３】
MAC処理部１０８２は、下りリンクで受信した信号に対するMACレイヤでの再送制御（HARQ）、下りリンクに対するスケジューリング情報の解析（PDSCHの伝送フォーマットの特定、PDSCHのリソースブロックの特定）等をする。また、MAC処理部１０８２は、上りリンクで送信する信号に対するMAC再送制御、上りスケジューリング情報の解析（PUSCHの伝送フォーマットの特定、PUSCHのリソースブロックの特定等の処理）等をする。
【００８４】
RLC処理部１０８３は、上りリンクで受信したパケット、およびアプリケーション部１１２から受け取る下りリンクで送信するパケットに対して、パケットの分割、パケットの結合、RLCレイヤでの再送制御等をする。
【００８５】
TPCモード設定部１０８４は、下りリンクで受信したTPCモード情報に従って、アンテナ１０２ａ、１０２ｂに対して共通のTPCコマンドを適用する共通制御モードまたはアンテナ１０２ａ、１０２ｂに対して個別のTPCコマンドを適用する個別制御モードを設定する。
【００８６】
TPCコマンド受信処理部１０８５は、TPCモード設定部１０８４により設定されたTPCモードに従い、共通TPCコマンド/個別TPCコマンドを受信して、内容を特定する。
【００８７】
送信電力計算部１０８６は、TPCコマンド、受信レベル差信号およびTPCパラメータに従い、上りリンクの送信電力を計算する。共通制御モードの場合には、アンテナ１０２ａ、１０２ｂに対して共通のTPCコマンドを適用して送信電力を計算し、個別制御モードの場合には、アンテナ１０２ａ、１０２ｂに対して個別のTPCコマンドを適用して送信電力を計算する。また、受信レベル差信号を受信した場合、アンテナ１０２ａ、１０２ｂのいずれかの送信電力に対して、受信レベル差分のオフセットを加えてもよい。なお、オフセットを加える場合、その時点で受信している共通／個別TPCコマンドをリセットする、あるいはTPCコマンドからオフセット分を差し引く。ただし、個別制御モードの場合には、受信レベル差によるオフセットを加えない方のアンテナに対応する個別TPCコマンドは、そのまま適用してもよい。そして、送信電力計算部１０８６による計算結果に応じて、ＡＧＣにより各アンテナ１０２ａ、１０２ｂに対応したアンプ部１０４ａ、１０４ｂにおける増幅率が調整され、送信電力が制御される。
【００８８】
受信レベル差信号受信処理部１０８７は、下りリンクで受信した受信レベル差信号を受信し、内容を特定する。
【００８９】
なお、本実施の形態においては、TPCコマンド受信処理部１０８５でTPC信号を受信して、送信電力計算部１０８６で送信電力を計算し、アンプ部１０４ａ、１０４ｂを制御する構成としたが、アプリケーション部１１２でTPC信号を受信して送信電力を計算し、アンプ部１０４ａ、１０４ｂを制御するようにしてもよい。また、受信レベル差信号受信処理部１０８７で受信レベル差信号を受信して内容を特定する構成としたが、TPCコマンド受信処理部１０８５で受信レベル差信号を受信して内容を特定してもよいし、アプリケーション部１１２で受信レベル差信号を受信して内容を特定してもよい。
【００９０】
図１８を参照して、基地局装置および移動局装置による通信制御処理について説明する。なお、送信電力制御処理については上述してあるため、ここでは受信レベル差信号の通知処理についてのみ説明する。図１８は、受信レベル差信号の通知処理のフローチャートである。また、以下のフローチャートは、受信レベル差信号の通知処理の一例を示すものであり、通知処理がこの処理フロー内容に限定されるものではない。
【００９１】
最初に、移動局装置１００から送信された参照信号がPUSCHで受信され（ステップＳ２１）、受信SINR測定部２０８４で受信品質として移動局装置１００の各アンテナ１０２ａ、１０２ｂの受信SINRが測定される（ステップＳ２２）。測定された受信SINRは、アンテナ間受信レベル差計算部２０８８に入力され、アンテナ間の受信レベル差信号が生成される（ステップＳ２３）。生成された受信レベル差信号は、送信電力制御部２０８５に入力され、受信レベル差信号を移動局装置１００に対して通知するか否かが判定される（ステップＳ２４）。このとき、例えば、アンテナ１０２ａ、アンテナ１０２ｂ間の平均受信レベル差が基準電力差以上の場合に受信レベル差信号を通知すると判定され（ステップＳ２４：Ｙｅｓ）、PDSCHあるいはPDCCHで移動局装置１００に送信される（ステップＳ２５）。一方、アンテナ１０２ａ、アンテナ１０２ｂ間の平均受信レベル差が基準電力差より小さい場合に受信レベル差信号を通知しないと判定され（ステップＳ２４：Ｎｏ）、ステップＳ２１に戻る。
【００９２】
基地局装置２００から送信された受信レベル差信号がPDSCHあるいはPDCCHで移動局装置１００に受信されると（ステップＳ２６）、受信レベル差信号受信処理部１０８７において受信レベル差信号に含まれるアンテナ１０２ａ、アンテナ１０２ｂ間の平均受信レベル差が特定される（ステップＳ２７）。このようにして、移動局装置１００にアンテナ１０２ａ、アンテナ１０２ｂ間の平均受信レベル差が通知される。
【００９３】
以上のように、本実施の形態に係る送信電力制御方法によれば、移動局装置１００の２つのアンテナ１０２ａ、１０２ｂに共通した共通TPCコマンドにて送信電力を制御する共通制御モードと、移動局装置１００の２つのアンテナ１０２ａ、１０２ｂに個別の個別TPCコマンドにて送信電力を制御する個別制御モードとのいずれかを有効とすると共に、移動局装置の複数のアンテナ間の受信レベル差を移動局装置に対して通知する構成を有している。
【００９４】
したがって、上述したように、通信環境に応じた制御モードを有効にすることにより、複数のアンテナを有する移動局装置１００を適切な送信電力に制御することが可能となると共に、複数のアンテナ間の平均受信レベル差を通知することにより、移動局装置において複数のアンテナ間の平均受信レベル差を補償するための各種処理を設定できる。
【００９５】
また、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【産業上の利用可能性】
【００９６】
以上説明したように、本発明は、複数のアンテナを有する移動局装置の送信電力を適切に制御できるという効果を有し、特に上りリンクの送信電力を制御する送信電力制御方法、基地局装置および移動局装置に有用である。
【符号の説明】
【００９７】
１００  移動局装置
１０２ａ、１０２ｂ、２０２  アンテナ
１０４ａ、１０４ｂ、２０４  アンプ部
１０６、２０６  送受信部
１０８、２０８  ベースバンド信号処理部
１１０、２１０  呼処理部
１１２  アプリケーション部
２００  基地局装置
２１２  伝送路インターフェース
１０８１、２０８１  レイヤ１処理部
１０８２、２０８２  MAC処理部
１０８３、２０８３  RLC処理部
１０８４  TPCモード設定部
１０８５  TPCコマンド受信処理部
１０８６  送信電力計算部
１０８７  受信レベル差信号受信処理部
２０８４  受信SINR測定部
２０８５  送信電力制御部
２０８６  アンテナ共通TPCコマンド生成部
２０８７  アンテナ個別TPCコマンド生成部
２０８８  アンテナ間受信レベル差算出部
【図１】
2010103965.tif 000003
【図２】
2010103965.tif 000004
【図３】
2010103965.tif 000005
【図４】
2010103965.tif 000006
【図５】
2010103965.tif 000007
【図６】
2010103965.tif 000008
【図７】
2010103965.tif 000009
【図８】
2010103965.tif 000010
【図９】
2010103965.tif 000011
【図１０】
2010103965.tif 000012
【図１１】
2010103965.tif 000013
【図１２】
2010103965.tif 000014
【図１３】
2010103965.tif 000015
【図１４】
2010103965.tif 000016
【図１５】
2010103965.tif 000017
【図１６】
2010103965.tif 000018
【図１７】
2010103965.tif 000019
【図１８】
2010103965.tif 000020